(57)【要約】【課題】ＥＰＧに基づいて表示された番組表に省略された情報があっても、的確に所望の番組の録画予約を行うことを可能にする。【解決手段】放送受信装置１は、放送局から送出される放送電波に重畳されている文字信号を抽出し、この文字信号を収集してＥＰＧを取得する。そして、取得したＥＰＧによる番組表をモニタ１６に表示させ、この番組表によりユーザから録画予約の指示が入力されると、選択された番組に複数の予約コードが含まれているか否かを判別し、複数の予約コードが含まれている場合、番組毎に番組名、開始及び終了日時、予約コードを表示した選択画面１６２を表示させる。そして、この選択画面１６２により、所望する番組をそれぞれ選択させて録画予約を行う。【選択図】　　　　図１
2004134859.tif 000002
【特許請求の範囲】
【請求項１】
放送局から送出される放送電波に重畳された電子番組ガイドを抽出する抽出手段と、前記電子番組ガイドを表示手段に選択的に表示する表示制御手段と、前記表示手段に表示された電子番組ガイドから録画予約する番組を選択して入力させる入力制御手段と、前記入力制御手段により選択された番組に含まれる予約コードに基づいて録画予約を行う録画予約手段と、を備える放送受信装置において、
前記入力制御手段により選択された番組に複数の予約コードが含まれているか否かを判別する判別手段を備え、
前記表示制御手段は、前記選択された番組に複数の予約コードが含まれている場合、当該複数の番組の番組名、放送日、番組開始時間、番組終了時間、予約コードを含む番組情報を番組毎に表示した選択画面を表示手段に表示させることを特徴とする放送受信装置。
【請求項２】
番組案内情報を受信する受信手段と、前記番組案内情報を表示手段に選択的に表示する表示制御手段と、前記表示手段に表示された番組案内情報から録画予約する番組を選択入力させる入力制御手段と、前記入力手段により選択された番組に含まれる予約コードに基づいて録画予約を行う録画予約手段と、を備える録画予約装置において、
前記入力制御手段により選択された番組に複数の予約コードが含まれているか否かを判別する判別手段を備え、
前記表示制御手段は、前記複数の番組の中から所望する番組を選択させるための選択画面を表示手段に表示させることを特徴とする録画予約装置。
【請求項３】
前記受信手段は、放送局から送出された放送電波を受信し、当該受信した放送電波に重畳された電子案内情報を抽出する抽出手段を備えることを特徴とする請求項２記載の録画予約装置。
【請求項４】
前記表示制御手段は、前記選択画面に、複数の番組の番組名、放送日、番組開始時間、番組終了時間、予約コード、チャンネルのうち少なくとも１つを番組毎に表示させることを特徴とする請求項２記載の録画予約装置。
【請求項５】
前記番組案内情報は、番組を放送する放送局、放送日、番組名、番組開始時間、番組終了時間、予約コード、番組ジャンルのうち少なくとも１つを含むことを特徴とする請求項２記載の録画予約装置。
【請求項６】
前記番組案内情報は、電子番組ガイドであることを特徴とする請求項２又は５記載の録画予約装置。
【発明の詳細な説明】
【０００１】
【発明の属する技術分野】
本発明は、電子番組ガイド（ＥＰＧ：Ｅｌｅｃｔｒｉｃａｌ　Ｐｒｏｇｒａｍ　Ｇｕｉｄｅ）を利用した放送受信装置及び録画予約装置に関するものである。
【０００２】
【従来の技術】
従来、地上アナログ放送の放送電波に文字信号を重畳させ、放送する番組のジャンルや放送時間などに関する電子番組ガイド（ＥＰＧ）を送信する技術が普及している。このＥＰＧは、各家庭の受信機により取り出され、テレビ画面に番組表として表示させることにより、視聴者の好みに合わせた番組の検索に供することができる。
【０００３】
図６は、ＥＰＧをテレビ画面に表示させるためのＧガイドシステム１００のシステム構成を示す概略図である。図６に示すように、Ｇガイドシステム１００は、送信側において、放送事業者により作成された番組案内情報を所定のファイル形式に変換し、圧縮、暗号化した後、テレビ電波のＶＢＩ（Ｖｅｒｔｉｃａｌ　Ｂｌａｎｋｉｎｇ　Ｉｎｔｅｒｖａｌ：垂直帰線消去帰還）に文字信号を挿入して、各受信機に送信する。一方、受信側は、受信機により放送電波を受信してＶＢＩから文字信号をデータとして取り出し、このデータを一旦メモリ等に格納した後、データの復号化、伸長を行って上述した所定のファイルを取り出して、テレビ画面に番組表として表示させる。
【０００４】
通常、このようにして得られたＥＰＧの中には、記録録画装置に番組を録画させるための予約コードとして、Ｇコード等の所定の規格に即したコードが含まれており、この予約コードに基づいて、記録録画装置の録画予約が行われる。例えば、取得したＥＰＧに基づいて番組タイトルと関連する時間情報等を視覚的に把握しやすくテレビ画面に表示させ、ユーザはこのテレビ画面を閲覧しながら番組の選択を行い、選択された番組に対応する予約コードにより容易に予約が行える電子番組ガイド表示制御装置が知られている（例えば、特許文献１参照）。
【０００５】
また、ＥＰＧを利用して番組の録画予約を行う他の形態としては、携帯情報端末向けのＷＥＢサービスやメールサービスにより、ＥＰＧを携帯情報端末に配信し、携帯情報端末の表示画面に番組選択画面を表示させる。そして、表示された番組選択画面から所望の番組を選択させ、携帯情報端末と録画記録装置との間で赤外線通信等を行うことにより、選択された番組の予約コードを録画記録装置に送信して、番組の録画予約を行うシステムが知られている（例えば、特許文献２参照）。
【０００６】
さらに、無線電話により、インターネット上に開設されるサイトを介してＥＰＧを取得し、無線電話の表示画面にて簡易ＥＰＧを表示させ、表示された簡易ＥＰＧから所望の番組が選択されると、選択された番組の予約コードを無線通信によりページャに送信し、ページャは受信した予約コードに基づいて記録装置の録画予約を行うことにより、遠隔地から番組の録画予約を行える番組記録システムが知られている（例えば、特許文献３参照）
【０００７】
【特許文献１】
特開平９−２９８６９７号公報
【特許文献２】
特開２００１−３０９２８８号公報
【特許文献３】
特開２００１−１４５１４０号公報
【０００８】
【発明が解決しようとする課題】
しかしながら、上述したＥＰＧによる番組の録画予約にあっては（例えば、特許文献１〜３）、表示画面に番組表や簡易ＥＰＧを表示する際に、番組案内情報が省略されて表示される場合があり、省略された番組表や簡易ＥＰＧに基づいて録画予約を行った場合、所望する以外の番組が録画されてしまう場合があった。つまり、表示画面に表示される情報量には限りがあるため（とりわけ、携帯情報端末等）、単位時間の少ない２以上の番組を１つの番組としてまとめて表示してしまう場合があり、このような番組が選択された場合、選択された番組に含まれる複数の予約コードが録画記録装置に送信され、複数の番組の録画予約が行われてしまっていた。
【０００９】
この場合、ユーザは、録画予約を行う段階において、登録された録画予約の修正を手動で行うか、複数の番組を録画した後に、不要な部分を飛ばして再生する必要があった。このため、煩雑な手間がかかり、使い勝手が悪いだけでなく、不要な番組の録画が行われた場合は、ビデオテープ等の記録媒体や電気代の無駄が生じるといった問題があった。
【００１０】
本発明の課題は、ＥＰＧに基づいて表示された番組表に省略された情報があっても、的確に所望の番組の録画予約を行うことができる放送受信装置及び録画予約装置を提供することである。
【００１１】
【課題を解決するための手段】
以上の課題を解決するために、請求項１記載の発明は、例えば図１から図３に示すように、放送局から送出される放送電波に重畳された電子番組ガイドを抽出する抽出手段（例えば、図１に示すＥＰＧ抽出部１３）と、前記電子番組ガイドを表示手段（例えば、図１に示すモニタ１６）に選択的に表示する表示制御手段（例えば、図３のステップＳ１に示す処理を行うＣＰＵ１４ａ）と、前記表示手段に表示された電子番組ガイドから録画予約する番組を選択して入力させる入力制御手段（例えば、図３のステップＳ７に示す処理を行うＣＰＵ１４ａ）と、前記入力制御手段により選択された番組に含まれる予約コードに基づいて録画予約を行う録画予約手段（例えば、図３のステップＳ８に示す処理を行うＣＰＵ１４ａ）と、を備える放送受信装置（例えば、図１に示す放送受信装置１）において、
前記入力制御手段により選択された番組に複数の予約コードが含まれているか否かを判別する判別手段（例えば、図３のステップＳ４に示す処理を行うＣＰＵ１４ａ）を備え、
前記表示制御手段は、前記選択された番組に複数の予約コードが含まれている場合、複数の番組の番組名、放送日、番組開始時間、番組終了時間、予約コードを含む番組情報を番組毎に表示した選択画面を表示手段に表示させることを特徴とする。
【００１２】
請求項１記載の発明によれば、電子番組ガイドによる番組表が表示手段に表示される際に、複数の番組が一つの番組として省略して表示された場合であっても、この番組が選択された場合は、複数の予約コードに基づいて複数の番組をそれぞれ別個に表示させるため、所望する番組のみを的確に選択して録画予約を行うことができる。これにより、ユーザは、一度行った予約録画の修正を行う必要がなく、所望する以外の番組が録画され、ビデオテープ等の記録媒体や電気代を無駄にすることがない。
【００１３】
請求項２記載の発明は、例えば、図１又は図２に示すように、番組案内情報を受信する受信手段（例えば、図１に示す受信部１０）と、前記番組案内情報を表示手段に選択的に表示する表示制御手段と、前記表示手段に表示された番組案内情報から録画予約する番組を選択入力させる入力制御手段と、前記入力手段により選択された番組に含まれる予約コードに基づいて録画予約を行う録画予約手段と、を備える放送受信装置において、
前記入力制御手段により選択された番組に複数の予約コードが含まれているか否かを判別する判別手段を備え、
前記表示制御手段は、前記複数の番組の中から所望する番組を選択させるための選択画面を表示手段に表示させることを特徴とする。
【００１４】
ここで、受信手段は、例えば、放送局から送出される放送電波を選択的に受信することによりこの放送電波に含まれる番組案内情報を受信する構成であってもよく、有線又は無線通信回線を通じて、電子メールやホームページ等にアクセスすることにより番組案内情報を受信する構成であっても良い。
【００１５】
請求項２記載の発明によれば、番組案内情報が表示手段に表示される際に、複数の番組が一つの番組として省略されて表示された場合であっても、この番組が選択された場合は、複数の予約コードに基づいて複数の番組をそれぞれ別個に表示させるため、例えば、テレビ画面を介して録画予約を行う場合だけでなく、小さな表示装置を備える携帯情報端末を介して録画予約を行う場合であっても、所望する番組のみを的確に選択して録画予約を行うことができる。すなわち、本発明は、種々の機器に適用可能な汎用性の高い技術であり、本発明を適用した機器の操作性及び利便性を向上させることができる。
【００１６】
請求項３記載の発明において、前記受信手段は、放送局から送出される放送電波を受信し、当該受信した放送電波に重畳された電子案内情報を抽出する抽出手段（例えば、ＥＰＧ抽出部１３）を備えることを特徴とする。
【００１７】
請求項３記載の発明によれば、例えば、放送電波を受信するテレビ等の装置において、受信した放送電波から番組案内情報を抽出して、表示手段に表示させることができる。
【００１８】
請求項４記載の発明において、前記表示制御手段は、前記選択画面に、複数の番組の番組名、放送日、番組開始時間、番組終了時間、予約コード、チャンネルのうち少なくとも１つを番組毎に表示させることを特徴とする。
【００１９】
請求項４記載の発明によれば、番組名、放送日、番組開始時間、番組終了時間、予約コード、チャンネル等の情報が番組毎に表示されることにより、容易に番組に関する情報を取得して所望する番組を選択することができる。
【００２０】
請求項５記載の発明において、前記番組案内情報は、番組を放送する放送局、放送日、番組名、番組開始時間、番組終了時間、予約コード、番組ジャンルのうち少なくとも１つを含むことを特徴とする。
【００２１】
請求項５記載の発明によれば、ユーザは、番組案内情報に含まれる種々の情報に基づいて、容易に所望の番組を検索して、録画予約を行うことができる。また、予約コードが含まれることにより、録画予約操作にかかる面倒な手間を省くことができる。
【００２２】
請求項６記載の発明において、前記番組案内情報は、電子番組ガイドであることを特徴とする。
【００２３】
請求項６記載の発明によれば、例えば、既存のＧガイドシステムにより提供される電子番組ガイドを利用することができるため、初期投資費用等のコストを押さえることができる。
【００２４】
【発明の実施の形態】
以下、図１〜図５を参照して本発明の実施の形態を詳細に説明する。ただし、発明の範囲は、図示例に限定されない。
【００２５】
まず、本実施の形態の構成を説明する。
図１は、本実施の形態における放送受信装置１の機能的構成を示すブロック図を示す図である。なお、図１は、本発明に必要な構成のみを示し、説明に不要なその他の構成部分は省略している。図１に示すように、放送受信装置１は、受信部１０、音声検波回路１１、映像検波回路１２、ＥＰＧ抽出部１３、制御部１４、スピーカ１５、モニタ１６、受光部１７、リモコン１８等を備えて構成されている。また、放送受信装置１は、録画予約された番組の記録を行うための外部機器２０に接続されている。
【００２６】
受信部１０は、アンテナ１０ａを備え、放送局から送られてくる放送電波（例えば、地上波アナログ放送電波）をアンテナ１０ａにより受信し、その中から所望の放送番組を選局して受信するチューナとして機能を有している。受信部１０は、受信した放送電波のうち映像信号及び音声信号を抽出して、映像信号及び音声信号をそれぞれ映像検波回路１８及び音声検波回路１９に出力する。また、受信部１０は、放送電波に重畳された文字信号を抽出するためのＥＰＧ抽出部１２に放送電波を出力する。
【００２７】
音声検波回路１１は、受信部１０から入力された映像信号及び音声信号のうち音声信号を検波して、この音声信号を増幅回路（図示せず）により増幅してスピーカ１５に出力する。
【００２８】
映像検波回路１２は、受信部１０から入力された映像信号及び音声信号のうち映像信号を検波して、この映像信号を増幅回路（図示せず）により増幅してモニタ１６に出力する。
【００２９】
ＥＰＧ抽出部１３は、放送電波に重畳して送出される文字信号を抽出して、ＥＰＧを取得し、取得したＥＰＧを番組表として、モニタ１６に出力する。ここで、ＥＰＧには、番組の番組名、放送日、番組開始時間、番組終了時間、予約コード、チャンネル等の情報が２週間分程度含まれており、これらの情報が選択的にモニタ１６に番組表として表示される。なお、このＥＰＧは、特許請求の範囲に記載した番組案内情報の一例に対応している。また、予約コードは、例えば、所定の規格に即したＧコード等のコード番号により構成され、録画予約をする場合に必要な放送日、番組開始時間、番組終了時間、チャンネルの４つの情報を圧縮コーディング技術により最大８桁の数字に置き換えたコード番号を記録録画機器に入力するにより録画予約を可能にするものである。
【００３０】
制御部１４は、リモコン１８から送出された選局操作や予約操作等が受光部１７を介して入力されると、システムプログラムや制御プログラムに従って放送受信装置１の各部を駆動制御する。
【００３１】
図２を参照してＥＰＧ抽出回路１３及び制御部１４について詳細に説明する。図２は、ＥＰＧ抽出回路１３及び制御部１４の機能的構成を示すブロック図である。図２に示すように、ＥＰＧ抽出回路１３は、データ取込回路１３ａ、バッファメモリ１３ｂ、ページメモリ１３ｄ、出力ＩＦ１３ｅ等を備えて構成され、制御部１４は、ＣＰＵ（Ｃｅｎｔｒａｌ　Ｐｒｏｃｅｓｓｉｎｇ　Ｕｎｉｔ）１４ａ、ＲＯＭ（Ｒｅａｄ　Ｏｎｌｙ　Ｍｅｍｏｒｙ）１４ｂ、ＲＡＭ（Ｒａｎｄｏｍ　Ａｃｃｅｓｓ　Ｍｅｍｏｒｙ）１４ｃ、日時データ抽出回路１４ｄ、入力ＩＦ（インターフェイス）１４ｅ、外部機器制御回路１４ｆ、ページメモリ１３ｃ、予約メモリ１４ｈ等を備えて構成され、各部はバス１４ｉにより接続されている。
【００３２】
ＣＰＵ１４ａは、ＲＯＭ１４ｂに記憶される制御プログラム及びＲＡＭ１４ｃに記憶される制御データにより動作するものである。ＣＰＵ１４ａは、データ取込回路１３ａにおける文字信号のタイミング制御及びデータ取込回路１３ａからバッファメモリ１３ｂへのデータ転送を制御する。また、ＣＰＵ１４ａは、バッファメモリ１３ｂに一時的に記憶させた文字データをページ単位でページメモリ１３ｃに転送して、ＥＰＧ記憶部１３ｄに記憶させる。
【００３３】
また、リモコン１８から番組表の表示指示が入力されると、ＣＰＵ１４ａは、ページメモリ１３ｃ内のＥＰＧ記憶部１３ｄからＥＰＧを取得して、出力ＩＦ１３ｅからＥＰＧを出力して、モニタ１６に番組表を表示させる。また、ＣＰＵ１１ａは、映像検波回路１２と、ＥＰＧ抽出部１３に設けられている切替回路１９ａ，１９ｂのＯＮ／ＯＦＦを制御する。つまり、番組表をモニタ１６に表示させる際は、ＥＰＧ抽出部１３のスイッチをＯＮにしてＥＰＧを出力させる。
【００３４】
さらに、ＣＰＵ１４ａは、後述する録画予約処理（図３参照）を実行する。この録画予約処理を実行するに際して、ＣＰＵ１４ａは、リモコン１８から送出された録画予約指示を入力ＩＦ回路１４ｋを介して取得し、選択された番組のＥＰＧから予約コードを抽出する。ＣＰＵ１４ａは、取得したＥＰＧに複数の予約コードが含まれる否かを判別し、ＥＰＧに含まれる予約コードが１つの場合、この予約コードを予約メモリ１６ｉに転送して記憶させる。また、ＣＰＵ１４ａは、選択された番組の番組データ（例えば、放送日、番組開始時間、番組終了時間、チャンネル等）を予約番組データ記憶部１４ｇに記憶させ、番組の録画予約を行う。
【００３５】
一方、ＥＰＧに複数の予約コードが含まれる場合、予約コードからそれぞれの番組の開始及び終了を示す日時データを取得し、番組名、放送日、番組開始時間、番組終了時間、予約コードをそれぞれモニタ１６に表示させ、ユーザに選択入力させる。ＣＰＵ１４ａは、リモコン１８を介して、選択された番組の予約コードを取得すると、予約コードを予約メモリ１４ｈに記憶させるとともに、選択された番組の番組データを予約番組データ記憶部１４ｇに記憶させ、番組の録画予約を行う。
【００３６】
データ取込回路１３ａは、受信部１０から入力された映像データに重畳された文字信号を抽出して、この文字信号に対して同期再生及び誤り訂正を行った後、バッファメモリ１３ｂに一時的に記憶する。バッファメモリ１３ｂは、ＣＰＵ１４ａの制御に応じて、蓄積されたデータをＥＰＧとしてページ単位にてページメモリ１３ｃに出力する。
【００３７】
ページメモリ１３ｃには、ＥＰＧ記憶部１３ｄと、予約番組データ記憶部１４ｇとが設けられている。ＥＰＧ記憶部１３ｄは、バッファメモリ１３ｂからページ単位で転送されるＥＰＧを記憶するものであり、ＣＰＵ１４ａの制御により所定時間毎（例えば、１日数回）に更新されたＥＰＧを記憶する。予約番組データ記憶部１４ｇは、ＣＰＵ１４ａにより実行される録画予約処理により録画予約された番組データを記憶するものである。
【００３８】
日時データ抽出回路１４ｄは、予約メモリ１４ｈから読み出される予約コードから日時データを算出し、ページメモリ１３ｃの予約番組データ記憶部１４ｇに放送日、番組開始時間、番組終了時間として記憶させる。なお、ＣＰＵ１４ａにより、この日時データと、現在の日時データとが比較され、比較結果に応じてＣＰＵ１４ａから予約を開始させる制御信号が外部機器２０に出力される。
【００３９】
入力ＩＦ１４ｅは、受光部１７を介して入力される操作指示、録画予約指示等を、ＣＰＵ１４ａに出力する。
【００４０】
外部機器制御回路１４ｆは、ＣＰＵ１４ａから出力される外部機器２０の機種に応じた制御コードにより、外部機器２０を駆動制御する。これにより、放送受信装置１において録画予約された番組の録画を、外部機器２０にて行うことができる。
【００４１】
予約メモリ１４ｈは、上述した録画予約処理において、選択された番組の予約コードを記憶する。
【００４２】
次に、本実施の形態の動作を説明する。
動作説明の前提として、以下のフローチャートに記述されている各処理を実現するためのプログラムは、コンピュータが読み取り可能なプログラムコードの形態でＲＯＭ１４ｂに格納されており、ＣＰＵ１４ａは、当該プログラムコードに従った動作を逐次実行する。
【００４３】
図３は、ＣＰＵ１４ａにより実行される録画予約処理を示すフローチャートである。図３に示すように、ＣＰＵ１４ａは、リモコン１８から送出された指示に応じて、モニタ１６にＥＰＧによる番組表を表示させる（ステップＳ１）。次いで、ＣＰＵ１４ａは、リモコン１８から送出された録画予約指示を取得すると（ステップＳ２）、取得した録画予約指示に含まれるＥＰＧから予約コードを抽出する（ステップＳ３）。ＣＰＵ１４ａは、抽出された予約コードが複数あるか否かを判別し（ステップＳ４）、予約コードが１つであった場合（ステップＳ４；ＹＥＳ）、ステップＳ８に移行して番組の録画予約を行う。
【００４４】
一方、抽出した予約コードが複数あった場合（ステップＳ４；ＮＯ）、ＣＰＵ１４ａは、ＥＰＧから番組名を取得するとともに、時間データ抽出回路１４ｄにより、予約コードから番組の放送日、番組開始時間、番組終了時間を取得して（ステップＳ５）、それぞれの番組名、番組開始時間、番組終了時間、予約コードを選択画面に表示させる（ステップＳ６）。続いて、表示させた選択画面において、ユーザに録画予約を行う番組を選択させ（ステップＳ７）、選択された番組の予約コードを予約メモリ１４ｈに記憶させるとともに、番組データを予約番組データ記憶部１４ｇに記憶させて、番組の予約録画を行う（ステップＳ８）。
【００４５】
次に、上述した録画予約処理において、モニタ１６に表示される選択画面について説明する。図４は、ステップＳ１において、モニタ１６に表示される番組表の表示画面１６１の一例を示す図である。図４に示すように、表示画面１６１には、チャンネル及び放送時間を基準として、各時間に放送される番組が表形式により表示される。ユーザは、この番組表を閲覧しながら、所望の番組を選択することにより、録画予約を行うことができる。
【００４６】
図５は、ステップＳ６において、モニタ１６に表示される選択画面１６２の一例を示す図である。例えば、図４に示す番組表において、番組Ｃ３が選択指示され、番組Ｃ３に複数の予約コードが含まれていた場合、図５に示すように、番組Ｃ３に含まれている複数の番組の番組名、開始及び終了時間、予約コードが番組毎に表示される。ユーザは、表示された選択画面１６２の中から所望の番組（例えば、番組Ｂ）を選択し、予約キーにカーソルを合わせて指示を送信することにより、所望の番組の録画予約を行うことができる。なお、選択画面１６２において、表示された番組は複数選択することが可能である。また、選択画面には放送日が表示されていても良い。
【００４７】
以上のように、放送受信装置１は、放送局から送出される放送電波に重畳されている文字信号を抽出し、この文字信号を収集してＥＰＧを取得する。そして、取得したＥＰＧによる番組表をモニタ１６に表示させ、この番組表によりユーザから録画予約の指示が入力されると、選択された番組に複数の予約コードが含まれているか否かを判別し、複数の予約コードが含まれている場合、番組毎に番組名、開始及び終了日時、予約コードを表示した選択画面１６２を表示させる。そして、この選択画面１６２により、所望する番組をそれぞれ選択させて録画予約を行う。
【００４８】
これにより、例えば、ＥＰＧの番組表において複数の番組が省略され、一つの番組として表示された場合であっても、予約コードが複数含まれるときは、複数の番組の番組名、開始及び終了日時、予約コードを選択画面１６２に表示させて、ユーザに所望する番組を選択させることができる。したがって、所望する以外の番組が付随的に録画予約されてしまうことがないため、録画予約時に予約内容の修正を行う手間を省くことができ、操作性の良い放送受信装置１を提供することができる。また、所望する以外の番組が録画予約され、付随的に録画されてしまうことがないため、再生時に不要な部分を飛ばす手間がなくなるとともに、ビデオテープや電気代の無駄を省くことができる。
【００４９】
なお、上述した本実施の形態における記述は、本発明にかかる好適な放送受信装置及び録画予約装置の一例であり、これに限定されるものではない。
【００５０】
例えば、本実施の形態の放送受信装置１は、放送電波に重畳される文字信号を抽出してＥＰＧを取得する構成として説明を行ったが、例えば、ＥＰＧを電子メールやインターネットを介して受信する携帯情報端末等に、本発明を適用することも可能である。すなわち、携帯情報端末等の表示装置にＥＰＧの番組表を表示させ、この番組表から所望の番組を選択して、無線通信を介して予約コードを記録録画機器に送信することにより、番組の録画予約を行う携帯情報端末等においては、表示装置が小型化されているため、表示可能な情報量が限られている。このため、上述したように表示される番組が省略されやすいが、本発明を適用することにより、小型化された表示装置であっても、省略された情報をユーザの指示に応じて的確に表示させることができ、所望する番組の録画予約を確実に行うことができる。
【００５１】
また、放送受信装置１は、外部機器制御回路１４ｆを備え、放送受信装置１に接続された外部機器２０により、番組の録画が行われる構成としたが、例えば、放送受信装置１に大容量のハードディスク装置を備え、このハードディスク装置に番組を録画する構成であっても良い。
【００５２】
その他、本実施の形態における放送受信装置１の構成部分の細部構成、及び細部動作に関しても、本発明の趣旨を逸脱することのない範囲で適宜変更可能である。
【００５３】
【発明の効果】
以上のように、本発明によれば、番組案内情報が表示手段に表示される際に、複数の番組が一つの番組として省略されて表示された場合であっても、この番組が選択された場合は、複数の予約コードに基づいて複数の番組をそれぞれ別個に表示させるため、所望する番組のみを的確に選択して録画予約を行うことができる。これにより、ユーザは、一度行った予約録画の修正を行う必要がなく、所望する以外の番組が録画され、ビデオテープ等の記録媒体や電気代を無駄にすることがない。
【図面の簡単な説明】
【図１】本発明を適用した実施の形態における放送受信装置１の機能的構成を示すブロック図である。
【図２】図１に示すＥＰＧ抽出部１３及び制御部１４の機能的構成を示すブロック図である。
【図３】図２に示すＣＰＵ１４ａにより実行される録画予約処理を示すフローチャートである。
【図４】モニタ１６に表示される番組表の表示画面１６１の一例を示す図である。
【図５】モニタ１６に表示される選択画面１６２の一例を示す図である。
【図６】従来のＧガイドシステムの概念図を示す図である。
【符号の説明】
１　　放送受信装置
１０　　受信部
１０ａ　アンテナ
１１　　音声検波回路
１２　　映像検波回路
１３　　ＥＰＧ抽出部
１３ａ　　データ取込回路
１３ｂ　　バッファメモリ
１３ｃ　　ページメモリ
１３ｄ　　ＥＰＧ記憶部
１３ｅ　　出力ＩＦ
１４　　制御部
１４ａ　　ＣＰＵ
１４ｂ　　ＲＯＭ
１４ｃ　　ＲＡＭ
１４ｄ　　日時データ抽出回路
１４ｅ　　入力ＩＦ
１４ｆ　　外部機器制御回路
１４ｇ　　予約番組データ記憶部
１４ｈ　　予約メモリ
１４ｉ　　バス
１５　　スピーカ
１６　　モニタ
１７　　受光部
１８　　リモコン
１９ａ，ｂ　　切替回路
２０　　外部機器
１００　　Ｇガイドシステム
【図１】
2004134859.tif 000003
【図２】
2004134859.tif 000004
【図３】
2004134859.tif 000005
【図４】
2004134859.tif 000006
【図５】
2004134859.tif 000007
【図６】
2004134859.tif 000008